(57)【要約】【課題】カバー部の姿勢が開いた姿勢の状態で、カバー部が筐体に近接する際、介在部材に加わる衝撃を緩和することが可能な読取装置、及び画像形成装置を提供する。【解決手段】読取装置１００は、読取部１４３と、筐体１６０と、カバー部１１０と、介在部材１８０と、弾性部１７１とを備える。読取部１４３は、シートに形成された画像を読み取る。筐体１６０には、シートを載置可能である。カバー部１１０は、筐体１６０の上側に配置される。介在部材１８０は、筐体１６０とカバー部１１０との間に介在する。弾性部１７１は、筐体１６０、及び／又は、カバー部１１０に取り付けられ、弾性変形可能である。カバー部１１０の姿勢は、閉じた姿勢αと、開いた姿勢βとに変更可能である。カバー部１１０の姿勢が開いた姿勢βになると、弾性部１７１が、カバー部１１０と筐体１６０との間に位置する。【選択図】図２
2019097102.tif 000002
【特許請求の範囲】
【請求項１】
シートに形成された画像を読み取る読取部と、
シートを載置可能な筐体と、
前記筐体の上側に配置されるカバー部と、
前記筐体と前記カバー部との間に介在する介在部材と、
前記筐体、及び／又は、前記カバー部に取り付けられ、弾性変形可能な弾性部と
を備え、
前記介在部材は、前記筐体に対して前記カバー部を、回転可能に支持すると共に、前記カバー部が前記筐体に対し近接及び離間する方向に沿って、前記カバー部を移動可能に支持し、
前記カバー部の姿勢は、閉じた姿勢と、開いた姿勢とに変更可能であり、
前記閉じた姿勢は、前記カバー部が前記筐体上に載置された姿勢を示し、
前記開いた姿勢は、前記閉じた姿勢よりも上向きに、前記介在部材から前記カバー部が突出した姿勢を示し、
前記カバー部の姿勢が前記開いた姿勢になると、前記弾性部が、前記カバー部と前記筐体との間に位置する、読取装置。
【請求項２】
前記カバー部の姿勢が前記開いた姿勢の状態で、前記カバー部が前記筐体に近接すると、前記弾性部が前記カバー部と前記筐体とで挟まれる、請求項１に記載の読取装置。
【請求項３】
前記弾性部は、回転可能に支持され、
前記弾性部の回転軸は、前記カバー部の回転軸と平行である、請求項１又は請求項２に記載の読取装置。
【請求項４】
前記弾性部は、前記カバー部に取り付けられ、
前記カバー部は、前記カバー部の姿勢が前記閉じた姿勢になると、前記筐体に接触する接触面を有し、
前記カバー部の姿勢が前記開いた姿勢になると、前記弾性部の下端部が前記接触面よりも下方に位置し、
前記カバー部の姿勢が前記閉じた姿勢になると、前記弾性部の下端部が前記接触面よりも上方、又は、前記接触面と同じ高さを有する場所に位置する、請求項１から請求項３のいずれか１項に記載の読取装置。
【請求項５】
前記弾性部は、前記カバー部に取り付けられ、
前記カバー部の姿勢が前記閉じた姿勢になると、前記カバー部と前記筐体との間に位置する領域から離間した場所に、前記弾性部が位置する、請求項１から請求項３のいずれか１項に記載の読取装置。
【請求項６】
前記カバー部は、支点縁部と、回転縁部とを有し、
前記支点縁部を中心に、前記回転縁部が回転し、
前記弾性部は、前記支点縁部に配置される、請求項４又は請求項５に記載の読取装置。
【請求項７】
請求項１から請求項６のいずれか１項に記載の読取装置と、
シートに画像を形成する画像形成部と
を備える、画像形成装置。
【発明の詳細な説明】
【技術分野】
【０００１】
本発明は、読取装置、及び画像形成装置に関する。
【背景技術】
【０００２】
特許文献１に記載の画像形成装置は、アウターメンバーと、インナーメンバーとを備える。インナーメンバーは、アウターメンバー内にベアリング部材を介して嵌入される。インナーメンバーは、アウターメンバーに対し、スライド自在である。インナーメンバーには、シート原稿送り装置（カバー部）が揺動自在に取り付けられる。アウターメンバーは、複写装置本体（筐体）に固定される。
【先行技術文献】
【特許文献】
【０００３】
【特許文献１】特開平０５−２９７６６５号公報
【発明の概要】
【発明が解決しようとする課題】
【０００４】
例えば、分厚い本を複写する場合、シート原稿送り装置が開けられ、複写装置本体上に本が載置される。そして、シート原稿送り装置が上方に移動される。そして、シート原稿送り装置と複写装置本体との間に本を挟むようにして、シート原稿送り装置が閉じられる。
【０００５】
本の複写が終了すると、シート原稿送り装置が開けられ、複写装置本体上から本が取り除かれる。このとき、シート原稿送り装置の姿勢が開いた姿勢の状態で、シート原稿送り装置が自重で下降し、複写装置本体に当接するおそれがある。そして、シート原稿送り装置が複写装置本体に当接すると、シート原稿送り装置と複写装置本体との間に衝撃が発生する。その結果、アウターメンバー及びインナーメンバー（介在部材）に衝撃が加わるおそれがあった。
【０００６】
本発明は、カバー部の姿勢が開いた姿勢の状態で、カバー部が筐体に近接する際、介在部材に加わる衝撃を緩和することが可能な読取装置、及び画像形成装置を提供することを目的としている。
【課題を解決するための手段】
【０００７】
本発明の一局面によれば、読取装置は、読取部と、筐体と、カバー部と、介在部材と、弾性部とを備える。読取部は、シートに形成された画像を読み取る。筐体には、シートを載置可能である。カバー部は、前記筐体の上側に配置される。介在部材は、前記筐体と前記カバー部との間に介在する。弾性部は、前記筐体、及び／又は、前記カバー部に取り付けられ、弾性変形可能である。前記介在部材は、前記筐体に対して前記カバー部を、回転可能に支持すると共に、前記カバー部が前記筐体に対し近接及び離間する方向に沿って、前記カバー部を移動可能に支持する。前記カバー部の姿勢は、閉じた姿勢と、開いた姿勢とに変更可能である。前記閉じた姿勢は、前記カバー部が前記筐体上に載置された姿勢を示す。前記開いた姿勢は、前記閉じた姿勢よりも上向きに、前記介在部材から前記カバー部が突出した姿勢を示す。前記カバー部の姿勢が前記開いた姿勢になると、前記弾性部が、前記カバー部と前記筐体との間に位置する。
【０００８】
本発明の他の一局面によれば、画像形成装置は、上記読取装置と、画像形成部とを備える。画像形成部は、シートに画像を形成する。
【発明の効果】
【０００９】
本発明によれば、カバー部の姿勢が開いた姿勢の状態で、カバー部が筐体に近接する際、介在部材に加わる衝撃を緩和することができる。
【図面の簡単な説明】
【００１０】
【図１】本発明の第１実施形態に係る読取装置の模式的断面図である。
【図２】読取装置の斜視図である。
【図３】（ａ）弾性部材の斜視図である。（ｂ）介在部材の斜視図である。
【図４】介在部材の使用形態を示す模式的断面図である。
【図５】（ａ）第１実施形態のカバー部の開いた姿勢を示す模式的断面図である。（ｂ）第１実施形態のカバー部と筐体とで弾性部を挟んだ状態を示す模式的断面図である。（ｃ）第１実施形態のカバー部の閉じた姿勢を示す模式的断面図である。
【図６】保持機構を示す斜視図である。
【図７】（ａ）第１実施形態のカバー部と筐体とで弾性部を挟んだ状態を示す斜視図である。（ｂ）図７（ａ）の一部拡大図である。
【図８】（ａ）第２実施形態のカバー部の開いた姿勢を示す模式的断面図である。（ｂ）第２実施形態のカバー部と筐体とで弾性部を挟んだ状態を示す模式的断面図である。（ｃ）第２実施形態のカバー部の閉じた姿勢を示す模式的断面図である。
【図９】（ａ）第３実施形態のカバー部の開いた姿勢を示す模式的断面図である。（ｂ）第３実施形態のカバー部と筐体とで弾性部を挟んだ状態を示す模式的断面図である。（ｃ）第３実施形態のカバー部の閉じた姿勢を示す模式的断面図である。
【図１０】（ａ）第４実施形態のカバー部の開いた姿勢を示す模式的断面図である。（ｂ）第４実施形態のカバー部と筐体とで弾性部を挟んだ状態を示す模式的断面図である。（ｃ）第４実施形態のカバー部の閉じた姿勢を示す模式的断面図である。
【図１１】画像形成装置を示す模式的断面図である。
【発明を実施するための形態】
【００１１】
本発明の実施形態について、図面を参照しながら説明する。なお、図中、同一又は相当部分については同一の参照符号を付して説明を繰り返さない。
【００１２】
［第１実施形態］
図１及び図２を参照して、本発明の第１実施形態を示す読取装置１００について説明する。図１は、読取装置１００の模式的断面図である。図２は、読取装置１００の斜視図である。
【００１３】
図１、及び図２に示すように、読取装置１００は、カバー部１１０と、トレイ１２０と、搬送部１３０とを有する。
【００１４】
カバー部１１０は、中空の形状を有する。カバー部１１０は、回転可能に支持される。具体的には、カバー部１１０は、回転軸Ｌ１の軸回りに回転可能に支持される。回転軸Ｌ１は、カバー部１１０の回転軸を示す。カバー部１１０は、回転縁部１１１と、支点縁部１１２とを有する。回転縁部１１１は、カバー部１１０が閉じた状態で、カバー部１１０のうち、第１方向Ｄ１の他側に位置する縁部を示す。支点縁部１１２は、カバー部１１０が閉じた状態で、カバー部１１０のうち、第１方向Ｄ１の一側に位置する縁部を示す。支点縁部１１２は、回転軸Ｌ１に沿って形成される。第１実施形態では、支点縁部１１２を中心にして回転縁部１１１が回転する。回転縁部１１１と、支点縁部１１２とは、第２方向Ｄ２に沿って延びる。第２方向Ｄ２は、カバー部１１０の回転軸Ｌ１に対し平行な方向を示す。第１方向Ｄ１は、第２方向Ｄ２に対し垂直な方向を示す。また、第１実施形態では、第１方向Ｄ１、及び第２方向Ｄ２の各々は、水平方向に対し平行な方向を示す。
【００１５】
トレイ１２０は、カバー部１１０の外部に配置される。トレイ１２０は、カバー部１１０に連結される。トレイ１２０には、シートが載置される。シートは、例えば、普通紙、コピー紙、再生紙、薄紙、厚紙、光沢紙、又はＯＨＰ（Ｏｖｅｒｈｅａｄ  Ｐｒｏｊｅｃｔｏｒ）用紙である。
【００１６】
搬送部１３０は、シートを搬送する。具体的には、搬送部１３０は、トレイ１２０からシートを搬送する。搬送部１３０は、例えば、ＡＤＦ（ａｕｔｏ  ｄｏｃｕｍｅｎｔ  ｆｅｅｄｅｒ）として機能する。搬送部１３０は、カバー部１１０に収容される。搬送部１３０は、ローラー１３１と、第１駆動部１３２とを有する。
【００１７】
ローラー１３１は、例えば、ピックアップローラーと、分離ローラーと、搬送ローラーと、排出ローラーとを含む。ピックアップローラーは、トレイ１２０に載置されるシートをカバー部１１０の内部へ送り込む。分離ローラーは、シートを１枚ずつ分離して送り出す。搬送ローラーは、カバー部１１０の内部でシートを搬送する。排出ローラーは、搬送ローラーにより搬送されたシートを、カバー部１１０の外部へ排出する。
【００１８】
第１駆動部１３２は、ローラー１３１を回転させる駆動源である。第１駆動部１３２は、ローラー１３１を回転させて、ローラー１３１によりシートを搬送する。具体的には、一対のローラー１３１が、シートを挟持しつつ回転することで、シートを搬送する。第１駆動部１３２は、例えば、モーターである。
【００１９】
読取装置１００は、画像読取部１４０をさらに備える。
【００２０】
画像読取部１４０は、読取部１４３と、第２駆動部１４４とを有する。
【００２１】
読取部１４３は、シートに形成された画像を読み取る。画像を読み取るとは、画像を走査して、画像を示す画像データを取得することを示す。読取部１４３は、例えば、ＣＩＳ（Ｃｏｎｔａｃｔ  Ｉｍａｇｅ  Ｓｅｎｓｏｒ）である。読取部１４３は、例えば、ＬＥＤ（Ｌｉｇｈｔ  Ｅｍｉｔｔｉｎｇ  Ｄｉｏｄｅ）のような発光部と、イメージセンサーのような撮像部とを含む。読取部１４３は、発光部、及び撮像部を用いて、シートに形成された画像を走査する。読取部１４３は、第２方向Ｄ２に沿って移動可能に支持される。
【００２２】
第２駆動部１４４は、読取部１４３を移動させる駆動源である。第２駆動部１４４は、例えば、モーターである。
【００２３】
読取装置１００は、入力部１５１（図２参照）と、記憶部１５２と、制御部１５３とをさらに備える。
【００２４】
入力部１５１は、読取装置１００に対する指示を受け付ける。入力部１５１を介して、例えば、シートに形成された画像を読み取る旨の指示が入力される。入力部１５１は、例えば、タッチパネル、及び／又は、操作キー群を含む。
【００２５】
記憶部１５２は、記憶装置を含む。記憶装置は、ＲＯＭ（Ｒｅａｄ  Ｏｎｌｙ  Ｍｅｍｏｒｙ）、及びＲＡＭ（Ｒａｎｄｏｍ  Ａｃｃｅｓｓ  Ｍｅｍｏｒｙ）のような主記憶装置（例えば、半導体メモリー）を含み、補助記憶装置（例えば、ハードディスクドライブ）をさらに含んでもよい。主記憶装置及び／又は補助記憶装置は、制御部１５３によって実行される種々のコンピュータープログラムを記憶する。
【００２６】
制御部１５３は、ＣＰＵ（Ｃｅｎｔｒａｌ  Ｐｒｏｃｅｓｓｉｎｇ  Ｕｎｉｔ）及びＭＰＵ（Ｍｉｃｒｏ  Ｐｒｏｃｅｓｓｉｎｇ  Ｕｎｉｔ）のようなプロセッサーを含む。制御部１５３は、読取装置１００の各要素を制御する。具体的には、制御部１５３のプロセッサーは、記憶装置に記憶されたコンピュータープログラムを実行することにより、搬送部１３０と、読取部１４３とを制御する。第１実施形態では、詳細には、制御部１５３は、第１駆動部１３２と、読取部１４３と、第２駆動部１４４とを制御する。
【００２７】
第１駆動部１３２がローラー１３１を回転させてシートを搬送するように、制御部１５３が第１駆動部１３２を制御する。また、読取部１４３がシートに形成された画像を読み取るように、制御部１５３が読取部１４３を制御する。また、第２駆動部１４４が読取部１４３を移動させるように、制御部１５３が第２駆動部１４４を制御する。
【００２８】
読取装置１００は、筐体１６０をさらに備える。筐体１６０は、中空の形状を有する。筐体１６０は、画像読取部１４０と、記憶部１５２と、制御部１５３とを収容する。
【００２９】
筐体１６０には、シートを載置可能である。筐体１６０にシートが載置された状態で、シートに形成された画像を読取部１４３が読み取る。図２に示すように、筐体１６０は、天井部１６１と、第１開口部１６２と、第２開口部１６３と、対向部１６４と、載置部１６５とを含む。
【００３０】
天井部１６１は、板状の部材である。天井部１６１は、筐体１６０の上部に配置される。
【００３１】
第１開口部１６２と、第２開口部１６３とは、筐体１６０の上部に配置される。第１開口部１６２と、第２開口部１６３とは、天井部１６１に形成される。第１開口部１６２と、第２開口部１６３とは、筐体１６０の外部と筐体１６０の内部とを連通する。第１開口部１６２と、第２開口部１６３とは、第２方向Ｄ２に沿って、互いに間隔を空けて配置される。
【００３２】
対向部１６４は、第１開口部１６２に設けられる。対向部１６４は、第１開口部１６２を閉塞する。対向部１６４の上面は、筐体１６０の上部から筐体１６０の外部に露出している。対向部１６４は、搬送部１３０により搬送されるシートに対向可能な場所に配置される。対向部１６４は、搬送部１３０により搬送されるシートの搬送経路上に配置される。対向部１６４は、例えば、コンタクトガラスである。
【００３３】
載置部１６５は、第２開口部１６３に設けられる。載置部１６５は、第２開口部１６３を閉塞する。載置部１６５の上面は、筐体１６０の上部から筐体１６０の外部に露出している。載置部１６５は、対向部１６４に対し、第２方向Ｄ２の他側に配置される。載置部１６５には、シートを載置可能である。載置部１６５は、例えば、コンタクトガラスである。
【００３４】
対向部１６４と載置部１６５と天井部１６１とにより、筐体１６０の上部が閉塞される。
【００３５】
筐体１６０は、第１縁部１６０ａと、第２縁部１６０ｂとを含む。第１縁部１６０ａは、筐体１６０のうち、第１方向Ｄ１の一側の縁部を示す。第２縁部１６０ｂは、筐体１６０のうち、第１方向Ｄ１の他側の縁部を示す。
【００３６】
筐体１６０は、一対の筐体孔１６６をさらに含む。一対の筐体孔１６６の各々は、筐体１６０の上部に形成される。一対の筐体孔１６６の各々は、天井部１６１に形成される。一対の筐体孔１６６の各々は、筐体１６０の外部と筐体１６０の内部とを連通する。一対の筐体孔１６６の各々は、鉛直方向Ｖに沿って延びる形状を有する。一対の筐体孔１６６の各々は、第１縁部１６０ａに配置される。一対の筐体孔１６６は、第２方向Ｄ２に沿って互いに間隔を空けて配置される。
【００３７】
一対の筐体孔１６６の各々は、カバー部１１０に対向する。詳細には、一対の筐体孔１６６の各々は、カバー部１１０の支点縁部１１２に対向する。
【００３８】
筐体１６０のうち、第１方向Ｄ１の他側には、入力部１５１が配置される。従って、ユーザーは、筐体１６０に対して第１方向Ｄ１の他側から、入力部１５１を操作する。
【００３９】
カバー部１１０は、筐体１６０の上側に配置される。カバー部１１０は、筐体１６０上に載置可能である。カバー部１１０が筐体１６０上に載置された状態で、カバー部１１０が対向部１６４と載置部１６５とに対向する。
【００４０】
図１、及び図２を参照して、読取部１４３がシートに形成された画像を読み取る構成について説明する。
【００４１】
図１、及び図２に示すように、読取部１４３は、対向部１６４と載置部１６５との各々よりも下方に配置される。従って、読取部１４３は、対向部１６４と載置部１６５との各々よりも下方で、第２方向Ｄ２に沿って移動可能に支持される。
【００４２】
読取部１４３は、搬送部１３０により搬送されるシートに形成された画像を読み取る。なお、カバー部１１０が閉じた状態で、読取部１４３は、搬送部１３０により搬送されるシートに形成された画像を読み取る。また、読取部１４３が対向部１６４の下方に位置する状態で、搬送部１３０がシートを搬送することで、読取部１４３がシートに形成された画像を読み取る。この場合、シートが対向部１６４を通過する際に、読取部１４３がシートに形成された画像を読み取る。
【００４３】
読取部１４３は、載置部１６５に載置されているシートに形成された画像を読み取る。なお、カバー部１１０が閉じられ、カバー部１１０と筐体１６０との間にシートが配置された状態で、読取部１４３は、シートに形成された画像を読み取る。また、シートが載置部１６５に載置された状態で、読取部１４３が載置部１６５に沿って移動することで、読取部１４３がシートに形成された画像を読み取る。この場合、読取部１４３が載置部１６５に沿って移動しつつ、シートに形成された画像を読み取る。
【００４４】
読取装置１００は、一対の弾性部材１７０をさらに備える。
【００４５】
次に、図２、及び図３（ａ）を参照して、弾性部材１７０について説明する。図３（ｂ）は、弾性部材１７０の斜視図である。
【００４６】
一対の弾性部材１７０は、互いに同じ構造を有する。以下では、一対の弾性部材１７０のうちの１つの構成について説明する。
【００４７】
図２、及び図３（ａ）に示すように、弾性部材１７０は、弾性部１７１と、一対の軸部１７２とを有する。
【００４８】
弾性部１７１は、略円柱状の形状を有する。弾性部１７１は、弾性変形可能である。従って、弾性部１７１は、弾性変形する。弾性部１７１は、例えば、樹脂で形成される。弾性部１７１は、回転可能に支持される。具体的には、弾性部１７１は、回転軸Ｌ２の軸回りに回転可能に支持される。回転軸Ｌ２は、弾性部１７１の回転軸を示す。回転軸Ｌ２は、第２方向Ｄ２に沿って延びる。弾性部１７１の回転軸Ｌ２は、カバー部１１０の回転軸Ｌ１に平行である。また、弾性部１７１は、回転軸Ｌ２の軸回りに沿って形成される外周面１７１ａを有する。
【００４９】
一対の軸部１７２の各々は、弾性部１７１の回転軸Ｌ２に沿って延びる形状を有する。一対の軸部１７２の各々は、弾性変形する性質を有していなくてもよい。また、一対の軸部１７２の各々は、弾性変形する性質を有していてもよい。一対の軸部１７２の各々は、弾性部１７１に固定される。一対の軸部１７２のうちの１つは、弾性部１７１に対し、第２方向Ｄ２の一側に配置される。一対の軸部１７２のうちの他の１つは、弾性部１７１に対し、第２方向Ｄ２の他側に配置される。一対の軸部１７２の各々は、例えば、弾性部１７１と一体形成される。この場合、一対の軸部１７２の各々は、弾性部１７１と同様に樹脂で形成される。また、一対の軸部１７２の各々を、弾性部１７１とは別部材で構成して、弾性部１７１とは異なる材料で形成してもよい。この場合、一対の軸部１７２の各々を、例えば、金属製の材料で形成してもよい。
【００５０】
また、弾性部１７１を円筒状の形状に形成する。そして、軸部１７２を、回転軸Ｌ２に沿って延びる単一の部材で構成する。そして、単一の軸部１７２が、円筒状の弾性部１７１を貫通するように構成してもよい。この場合、単一の軸部１７２を、例えば、金属製の材料で形成してもよい。
【００５１】
弾性部１７１は、カバー部１１０に取り付けられる。弾性部１７１は、回転可能に支持される。第１実施形態では、弾性部１７１は、カバー部１１０により回転可能に支持される。従って、弾性部１７１は、カバー部１１０に対し回転する。
【００５２】
弾性部１７１は、カバー部１１０の下面１１３から下方へ突出している。具体的には、弾性部１７１の一部は、カバー部１１０の下面１１３から下方へ突出している。弾性部１７１は、カバー部１１０の支点縁部１１２に配置される。
【００５３】
カバー部１１０に対する、弾性部１７１の取り付け構造の一例について説明する。
【００５４】
カバー部１１０の下面１１３には、弾性部１７１が配置される穴１１４が形成される。また、カバー部１１０には、一対の軸孔１１５が形成される。一対の軸孔１１５のうちの１つは、穴１１４から第２方向Ｄ２の一側に向かって延びる。一対の軸孔１１５のうちの他の１つは、穴１１４から第２方向Ｄ２の他側に向かって延びる。そして、弾性部１７１が穴１１４に配置されると共に、一対の軸部１７２が、それぞれ、一対の軸孔１１５に挿入される。従って、一対の軸部１７２が、それぞれ、一対の軸孔１１５により係止される。その結果、弾性部１７１が、カバー部１１０に取り付けられ、カバー部１１０により回転可能に支持される。なお、弾性部１７１が穴１１４に配置されるとは、第１実施形態では、弾性部１７１の一部が穴１１４に挿入されることを示す。
【００５５】
読取装置１００は、一対の介在部材１８０をさらに備える。
【００５６】
次に、図２、及び図３（ｂ）を参照して、介在部材１８０について説明する。図３（ｂ）は、介在部材１８０の斜視図である。
【００５７】
図２に示すように、一対の介在部材１８０は、第２方向Ｄ２に沿って、互いに間隔を空けて配置される。一対の介在部材１８０の間には、一対の弾性部１７１が配置される。一対の弾性部１７１は、第２方向Ｄ２に沿って、互いに間隔を空けて配置される。
【００５８】
一対の介在部材１８０は、互いに同じ構造を有する。以下では、一対の介在部材１８０のうちの１つの構成について説明する。
【００５９】
図２、及び図３（ｂ）に示すように、介在部材１８０は、カバー部１１０と筐体１６０との間に介在する。介在部材１８０は、カバー部１１０を回転可能に支持すると共に、カバー部１１０を鉛直方向Ｖに沿って移動可能に支持する。詳細には、介在部材１８０は、筐体１６０に対し、カバー部１１０を回転可能に支持すると共に、筐体１６０に対し、カバー部１１０を鉛直方向Ｖに沿って移動可能に支持する。介在部材１８０は、カバー部１１０の回転の支点として機能する。
【００６０】
カバー部１１０が、鉛直方向Ｖに沿って移動すると、カバー部１１０が筐体１６０に対し、近接又は離間する。従って、鉛直方向Ｖは、カバー部１１０が筐体１６０に対し、近接及び離間する方向を示す。その結果、カバー部１１０が筐体１６０に対し、近接及び離間する方向に沿って、介在部材１８０がカバー部１１０を支持する。なお、鉛直方向Ｖのうちの下方向Ｖ１は、カバー部１１０が筐体１６０に近接する方向を示す。従って、カバー部１１０が下方向Ｖ１に移動すると、カバー部１１０が筐体１６０に近接する。これに対し、鉛直方向Ｖのうちの上方向Ｖ２は、カバー部１１０が筐体１６０から離間する方向を示す。従って、カバー部１１０が上方向Ｖ２に移動すると、カバー部１１０が筐体１６０から離間する。
【００６１】
介在部材１８０には、カバー部１１０が取り付けられる。また、介在部材１８０は、筐体孔１６６に設置される。
【００６２】
介在部材１８０は、第１部材１８１と、第２部材１８２とを含む。詳細には、一対の介在部材１８０の各々は、第１部材１８１と、第２部材１８２とを含む。
【００６３】
第１部材１８１は、筐体孔１６６に挿入される。具体的には、第１部材１８１の下部は、筐体孔１６６に挿入される。第１部材１８１の上部は、筐体１６０の上側に突出している。第１部材１８１は、筐体孔１６６に沿って摺動する。従って、第１部材１８１は、鉛直方向Ｖに沿って移動可能に支持される。具体的には、第１部材１８１は、筐体１６０により、鉛直方向Ｖに沿って移動可能に支持される。
【００６４】
第２部材１８２は、第１部材１８１に回転可能に取り付けられる。第２部材１８２が第１部材１８１に回転可能に取り付けられる場所に、カバー部１１０の回転軸Ｌ１が位置する。第２部材１８２は、第１部材１８１の上部に回転可能に取り付けられる。従って、第２部材１８２は、筐体１６０の上部に配置される。また、第２部材１８２には、カバー部１１０が固定される。第２部材１８２は、カバー部１１０の支点縁部１１２に固定される。従って、第２部材１８２とカバー部１１０とが、第１部材１８１に対し、一体で回転する。また、第２部材１８２とカバー部１１０とは、筐体１６０に対し、一体で回転する。このとき、カバー部１１０は、第２部材１８２を中心に回転する。第２部材１８２が位置する場所には、カバー部１１０の回転軸Ｌ１が位置する。詳細には、第２部材１８２が第１部材１８１に取り付けられる場所には、カバー部１１０の回転軸Ｌ１が位置する。
【００６５】
カバー部１１０が回転すると、筐体１６０に対し、カバー部１１０の回転縁部１１１が近接又は離間する。カバー部１１０が回転する際、筐体１６０に対し、カバー部１１０の回転縁部１１１が近接する方向を、閉じる方向Ｐ１と記載する。また、カバー部１１０が回転する際、筐体１６０に対し、カバー部１１０の回転縁部１１１が離間する方向を、開く方向Ｐ２と記載する。
【００６６】
カバー部１１０が回転すると、筐体１６０に対し、カバー部１１０を開閉することができる。カバー部１１０が閉じる方向Ｐ１に回転すると、カバー部１１０の回転縁部１１１が鉛直方向Ｖのうちの下方向Ｖ１へ回転する。これに対し、カバー部１１０が開く方向Ｐ２に回転すると、カバー部１１０の回転縁部１１１が鉛直方向Ｖのうちの上方向Ｖ２へ回転する。カバー部１１０が開くことで、カバー部１１０と筐体１６０との間にシートを配置することが可能になる。そして、カバー部１１０が閉じる方向Ｐ１に回転され、カバー部１１０が閉じられる。そして、シートが走査される。
【００６７】
次に、図４を参照して、介在部材１８０の使用形態を説明する。図４は、介在部材１８０の使用形態を示す模式的断面図である。
【００６８】
図４に示すように、第１部材１８１が鉛直方向Ｖに沿って移動すると、カバー部１１０が第１部材１８１と共に移動する。このとき、第１部材１８１が、筐体孔１６６に沿って摺動する。従って、筐体１６０に対し、カバー部１１０は、鉛直方向Ｖに沿って移動可能に支持される。例えば、筐体１６０に対し、カバー部１１０が上方向Ｖ２に移動し、カバー部１１０と筐体１６０との間隔が広がると、筐体１６０とカバー部１１０との間に、分厚い本Ｂを配置することができる。その結果、筐体１６０に収容される読取部１４３により分厚い本Ｂを走査することが可能になる。
【００６９】
次に、図５（ａ）、及び図５（ｃ）を参照して、カバー部１１０の姿勢を説明する。図５（ａ）は、第１実施形態のカバー部１１０の開いた姿勢βを示す模式的断面図である。図５（ｃ）は、第１実施形態のカバー部１１０の閉じた姿勢αを示す模式的断面図である。
【００７０】
図５（ａ）、及び図５（ｃ）に示すように、カバー部１１０の姿勢は、閉じた姿勢αと、開いた姿勢βとに変更可能である。従って、カバー部１１０の姿勢は、閉じた姿勢αと、開いた姿勢βとのうちのいずれかに切り替えることができる。第１実施形態では、筐体１６０に対するカバー部１１０の回転角度が、介在部材１８０により変更されると、カバー部１１０の姿勢が、閉じた姿勢αと、開いた姿勢βとのうちのいずれかに切り替えられる。なお、カバー部１１０の回転角度は、詳細には、カバー部１１０の回転軸Ｌ１（図２参照）の軸回りの回転角度を示す。
【００７１】
図５（ｃ）に示すように、閉じた姿勢αは、カバー部１１０が筐体１６０上に載置された姿勢を示す。カバー部１１０の姿勢が閉じた姿勢αのとき、カバー部１１０が介在部材１８０から第１方向Ｄ１の他側に向かって突出する。また、カバー部１１０の姿勢が閉じた姿勢αのとき、カバー部１１０が介在部材１８０から略水平方向に沿って突出する。また、カバー部１１０の姿勢が閉じた姿勢αのとき、カバー部１１０の支点縁部１１２と回転縁部１１１とが互いに略同じ高さに位置する。
【００７２】
図５（ａ）に示すように、開いた姿勢βは、閉じた姿勢αよりも上向きに、介在部材１８０からカバー部１１０が突出した姿勢を示す。従って、カバー部１１０の姿勢が開いた姿勢βのとき、カバー部１１０の支点縁部１１２よりも回転縁部１１１の方が上方向Ｖ２に位置する。また、カバー部１１０の姿勢が開いた姿勢βのとき、カバー部１１０は、水平方向に対し所定の角度θで傾斜する。所定の角度θは、例えば、カバー部１１０が邪魔にならず、筐体１６０（載置部１６５）にシートを載置する作業、及び、筐体１６０からシートを取り出す作業を、ユーザーが円滑に行うことができる角度を示す。
【００７３】
図５（ａ）、及び図５（ｃ）に示すように、カバー部１１０の姿勢が閉じた姿勢αの状態から、カバー部１１０が開く方向Ｐ２に回転すると、カバー部１１０の姿勢が開いた姿勢βになる。これに対し、カバー部１１０の姿勢が開いた姿勢βの状態から、カバー部１１０が閉じる方向Ｐ１に回転すると、カバー部１１０の姿勢が閉じた姿勢αになる。
【００７４】
読取装置１００は、保持機構１９０をさらに備える。
【００７５】
次に、図５（ａ）、図５（ｃ）、及び図６を参照して、保持機構１９０について説明する。図６は、保持機構１９０を示す斜視図である。
【００７６】
図５（ａ）、図５（ｃ）、及び図６に示すように、保持機構１９０は、カバー部１１０の姿勢を閉じた姿勢αに保持する第１機能と、カバー部１１０の姿勢を開いた姿勢βに保持する第２機能とを有する。第１実施形態では、保持機構１９０は、介在部材１８０に設けられる。詳細には、第１実施形態では、一対の保持機構１９０が設けられる。そして、一対の保持機構１９０は、それぞれ、一対の介在部材１８０に設けられる。一対の保持機構１９０は、互いに同じ構造を有する。以下では、一対の保持機構１９０のうちの１つの構成について説明する。
【００７７】
保持機構１９０は、カム１９１と、付勢部材１９２と、中間部材１９３とを含む。カム１９１は、第２部材１８２に形成される。カム１９１は、第２部材１８２の外周面１８２ａから突出する形状を有する。付勢部材１９２は、第１部材１８１に固定される。中間部材１９３は、板状の形状を有する。中間部材１９３は、第２部材１８２に接触する。付勢部材１９２は、第２部材１８２を介してカバー部１１０を付勢する。詳細には、付勢部材１９２には、中間部材１９３が固定される。そして、付勢部材１９２は、中間部材１９３、及び第２部材１８２を介してカバー部１１０を付勢する。付勢部材１９２は、例えば、バネである。
【００７８】
付勢部材１９２がカバー部１１０を付勢する方向は、カバー部１１０の姿勢に応じて、カム１９１により切り替えられる。第１実施形態では、図５（ｃ）に示すように、カバー部１１０の姿勢が閉じた姿勢αになると、付勢部材１９２は、カバー部１１０を閉じる方向Ｐ１に付勢する。その結果、カバー部１１０の姿勢が閉じた姿勢αに保持される。これに対し、図５（ａ）に示すように、カバー部１１０の姿勢が開いた姿勢βになると、付勢部材１９２は、カバー部１１０を開く方向Ｐ２に付勢する。そして、開く方向Ｐ２に作用する付勢部材１９２の付勢力が、閉じる方向Ｐ１に作用するカバー部１１０の自重とつり合うことで、カバー部１１０の姿勢が開いた姿勢βに保持される。
【００７９】
なお、保持機構１９０は、第１機能と、第２機能とを有していればよく、第１実施形態の保持機構１９０に限定されない。
【００８０】
次に、図５（ａ）、及び図５（ｃ）を参照して、弾性部１７１を配置するための構造について説明する。
【００８１】
図５（ａ）、及び図５（ｃ）に示すように、カバー部１１０は、第１接触面（接触面）１１３ａと、取付面１１０ａとを有する。カバー部１１０の姿勢が閉じた姿勢αになると、第１接触面１１３ａが筐体１６０に接触する。なお、第１接触面１１３ａは、カバー部１１０の下面１１３の一部である。
【００８２】
取付面１１０ａには、弾性部１７１が配置される。取付面１１０ａは、カバー部１１０の支点縁部１１２に配置される。取付面１１０ａは、筐体１６０に対向する。カバー部１１０の姿勢が開いた姿勢βの状態で、取付面１１０ａは、筐体１６０に対向しつつ、カバー部１１０の下端部１１０ｄに位置する。
【００８３】
カバー部１１０の姿勢が閉じた姿勢αの状態で、取付面１１０ａは、筐体１６０から離間した形状を有する。例えば、カバー部１１０の姿勢が閉じた姿勢αの状態で、取付面１１０ａは、筐体１６０から離間する方向に傾斜していてもよく、又は、上方向Ｖ２に凹んだ形状を有していてもよい。その結果、カバー部１１０の姿勢が閉じた姿勢αになると、取付面１１０ａと筐体１６０との間には第１隙間Ｚ１が形成される。
【００８４】
弾性部１７１は、取付面１１０ａに回転可能に取り付けられる。
【００８５】
次に、図５（ａ）から図５（ｃ）、図７（ａ）、及び図７（ｂ）を参照して、カバー部１１０の動作について説明する。図５（ｂ）は、第１実施形態のカバー部１１０と筐体１６０とで弾性部１７１を挟んだ状態を示す模式的断面図である。図７（ａ）は、第１実施形態のカバー部１１０と筐体１６０とで弾性部１７１を挟んだ状態を示す斜視図である。図７（ｂ）は、図７（ａ）の一部拡大図である。
【００８６】
図５（ａ）に示すように、カバー部１１０の姿勢が開いた姿勢βになると、弾性部１７１がカバー部１１０と筐体１６０との間に位置する。具体的には、カバー部１１０の姿勢が開いた姿勢βになると、弾性部１７１の下端部１７１ｂは、カバー部１１０よりも下方に位置する。また、カバー部１１０の姿勢が開いた姿勢βになると、弾性部１７１の下端部１７１ｂは、第１接触面１１３ａよりも下方に位置する。また、カバー部１１０の姿勢が開いた姿勢βになると、弾性部１７１が筐体１６０に対向する。
【００８７】
図５（ｂ）、図７（ａ）、及び図７（ｂ）に示すように、カバー部１１０の姿勢が開いた姿勢βの状態で、カバー部１１０が下方向Ｖ１に移動し、カバー部１１０が筐体１６０に近接すると、弾性部１７１がカバー部１１０と筐体１６０とで挟まれる。弾性部１７１がカバー部１１０と筐体１６０とで挟まれると、弾性部１７１が弾性変形して、カバー部１１０から筐体１６０に伝わる衝撃を緩和することができる。その結果、介在部材１８０に加わる衝撃を緩和することが可能になる。
【００８８】
また、カバー部１１０の姿勢が開いた姿勢βの状態で、カバー部１１０が筐体１６０に近接すると、カバー部１１０が筐体１６０に当接するよりも先に、弾性部１７１がカバー部１１０と筐体１６０とで挟まれる。従って、カバー部１１０が筐体１６０に当接することを防ぐことができる。さらに、弾性部１７１が弾性変形して、カバー部１１０と筐体１６０との間で発生する衝撃を緩和することができる。その結果、介在部材１８０に加わる衝撃を緩和することが可能になる。また、カバー部１１０が筐体１６０に当接しても、カバー部１１０が筐体１６０に当接するよりも先に弾性部１７１が弾性変形して、カバー部１１０と筐体１６０との間で発生する衝撃を緩和することができる。その結果、介在部材１８０に加わる衝撃を緩和することが可能になる。
【００８９】
弾性部１７１がカバー部１１０と筐体１６０とで挟まれると、弾性部１７１の外周面１７１ａが筐体１６０に接触する。そして、弾性部１７１がカバー部１１０と筐体１６０とで挟まれた状態から、カバー部１１０が閉じる方向Ｐ１に回転すると、カバー部１１０の姿勢が開いた姿勢βから閉じた姿勢αになる。このとき、弾性部１７１が回転する。従って、弾性部１７１の回転により、カバー部１１０の回転が促進される。その結果、カバー部１１０の姿勢を、開いた姿勢βから閉じた姿勢αに円滑に変更することが可能になる。
【００９０】
図５（ｃ）に示すように、カバー部１１０の姿勢が閉じた姿勢αになると、弾性部１７１が弾性力を用いて、筐体１６０からカバー部１１０を離間させることができない場所に、弾性部１７１が位置する。具体的には、カバー部１１０の姿勢が閉じた姿勢αになると、弾性部１７１の下端部１７１ｂは、第１接触面１１３ａよりも上方に位置し、又は、第１接触面１１３ａと略同じ高さを有する場所に位置する。また、カバー部１１０の姿勢が閉じた姿勢αになると、弾性部１７１が筐体１６０と非接触、又は、弾性変形することなく接触する場所に位置する。従って、カバー部１１０の姿勢が閉じた姿勢αになると、弾性部１７１が弾性変形せず、弾性部１７１の弾性力を筐体１６０に作用させることができない。その結果、カバー部１１０の姿勢が閉じた姿勢αになる状態を保持することが可能になる。なお、第１実施形態では、カバー部１１０の姿勢が閉じた姿勢αになると、弾性部１７１は、弾性変形することなく第１隙間Ｚ１に収容される。
【００９１】
［第２実施形態］
次に、図８（ａ）から図８（ｃ）を参照して、本発明の第２実施形態を示す読取装置１００について説明する。図８（ａ）は、第２実施形態のカバー部１１０の開いた姿勢βを示す模式的断面図である。図８（ｂ）は、第２実施形態のカバー部１１０と筐体１６０とで弾性部１７１を挟んだ状態を示す模式的断面図である。図８（ｃ）は、第２実施形態のカバー部１１０の閉じた姿勢αを示す模式的断面図である。
【００９２】
図８（ｃ）に示すように、カバー部１１０の姿勢が閉じた姿勢αになると、第１縁部１６０ａよりも第１方向Ｄ１の一側に弾性部１７１が配置される点で、第２実施形態が第１実施形態と異なる。
【００９３】
弾性部１７１は、カバー部１１０に回転可能に取り付けられる。弾性部１７１は、支点縁部１１２に配置される。弾性部１７１は、カバー部１１０の回転軸Ｌ１よりも、第１方向Ｄ１の一側に位置する。
【００９４】
図８（ａ）に示すように、カバー部１１０の姿勢が開いた姿勢βになると、弾性部１７１の下端部１７１ｂは、第１接触面１１３ａよりも下方に位置する。また、カバー部１１０の姿勢が開いた姿勢βになると、弾性部１７１がカバー部１１０の下端部１１０ｄに位置する。また、カバー部１１０の姿勢が開いた姿勢βになると、弾性部１７１が筐体１６０に対向する。
【００９５】
図８（ｂ）に示すように、カバー部１１０の姿勢が開いた姿勢βの状態で、カバー部１１０が筐体１６０に近接すると（下方向Ｖ１に移動すると）、カバー部１１０が筐体１６０に当接するよりも先に、弾性部１７１がカバー部１１０と筐体１６０とで挟まれる。その結果、介在部材１８０に加わる衝撃を緩和することが可能になる。
【００９６】
弾性部１７１がカバー部１１０と筐体１６０とで挟まれた状態から、カバー部１１０が閉じる方向Ｐ１に回転すると、カバー部１１０の姿勢が開いた姿勢βから閉じた姿勢αになる。このとき、弾性部１７１が回転して、カバー部１１０の回転を促進する。
【００９７】
図８（ｃ）に示すように、カバー部１１０の姿勢が閉じた姿勢αになると、カバー部１１０と筐体１６０との間に位置する領域から離間した場所に、弾性部１７１が位置する。具体的には、カバー部１１０の姿勢が閉じた姿勢αになると、第１縁部１６０ａよりも第１方向Ｄ１の一側に弾性部１７１が位置する。従って、弾性部１７１がカバー部１１０と筐体１６０と挟まれて弾性変形することが回避される。その結果、カバー部１１０の姿勢が閉じた姿勢αになる状態を保持することが可能になる。
【００９８】
［第３実施形態］
次に、図９（ａ）から図９（ｃ）を参照して、本発明の第３実施形態を示す読取装置１００について説明する。図９（ａ）は、第３実施形態のカバー部１１０の開いた姿勢βを示す模式的断面図である。図９（ｂ）は、第３実施形態のカバー部１１０と筐体１６０とで弾性部１７１を挟んだ状態を示す模式的断面図である。図９（ｃ）は、第３実施形態のカバー部１１０の閉じた姿勢αを示す模式的断面図である。
【００９９】
図９（ａ）、及び図９（ｃ）に示すように、弾性部１７１を収容するための第２隙間Ｚ２が筐体１６０側に形成される点で、第３実施形態が第１実施形態と異なる。
【０１００】
弾性部１７１は、カバー部１１０に回転可能に取り付けられる。弾性部１７１は、支点縁部１１２に配置される。弾性部１７１は、カバー部１１０の回転軸Ｌ１よりも、第１方向Ｄ１の一側に位置する。
【０１０１】
筐体１６０は、収容面１６０ｃを有する。収容面１６０ｃは、筐体１６０の第１縁部１６０ａに配置される。収容面１６０ｃは、カバー部１１０に対向する。カバー部１１０の姿勢が開いた姿勢βの状態で、収容面１６０ｃは、弾性部１７１に対向せず、弾性部１７１よりも第１方向Ｄ１の一側に位置する。
【０１０２】
カバー部１１０の姿勢が閉じた姿勢αの状態で、収容面１６０ｃは、カバー部１１０から離間した形状を有する。例えば、カバー部１１０の姿勢が閉じた姿勢αの状態で、収容面１６０ｃは、カバー部１１０から離間する方向に傾斜していてもよく、又は、下方向Ｖ１に凹んだ形状を有していてもよい。その結果、カバー部１１０の姿勢が閉じた姿勢αになると、収容面１６０ｃとカバー部１１０との間には第２隙間Ｚ２が形成される。
【０１０３】
図９（ａ）に示すように、カバー部１１０の姿勢が開いた姿勢βになると、弾性部１７１の下端部１７１ｂは、カバー部１１０よりも下方に位置する。また、カバー部１１０の姿勢が開いた姿勢βになると、弾性部１７１がカバー部１１０の下端部１１０ｄに位置する。また、カバー部１１０の姿勢が開いた姿勢βになると、弾性部１７１が筐体１６０に対向する。
【０１０４】
図９（ｂ）に示すように、カバー部１１０の姿勢が開いた姿勢βの状態で、カバー部１１０が筐体１６０に近接すると（下方向Ｖ１に移動すると）、カバー部１１０が筐体１６０に当接するよりも先に、弾性部１７１がカバー部１１０と筐体１６０とで挟まれる。その結果、介在部材１８０に加わる衝撃を緩和することが可能になる。
【０１０５】
弾性部１７１がカバー部１１０と筐体１６０とで挟まれた状態から、カバー部１１０が閉じる方向Ｐ１に回転すると、カバー部１１０の姿勢が開いた姿勢βから閉じた姿勢αになる。このとき、弾性部１７１が回転して、カバー部１１０の回転を促進する。
【０１０６】
図９（ｃ）に示すように、カバー部１１０の姿勢が閉じた姿勢αになると、弾性部１７１は第２隙間Ｚ２に収容される。具体的には、カバー部１１０の姿勢が閉じた姿勢αになると、弾性部１７１は、弾性変形することなく、第２隙間Ｚ２に収容される。その結果、カバー部１１０の姿勢が閉じた姿勢αになる状態を保持することが可能になる。
【０１０７】
［第４実施形態］
次に、図１０（ａ）から図１０（ｃ）を参照して、本発明の第４実施形態を示す読取装置１００について説明する。図１０（ａ）は、第４実施形態のカバー部１１０の開いた姿勢βを示す模式的断面図である。図１０（ｂ）は、第４実施形態のカバー部１１０と筐体１６０とで弾性部１７１を挟んだ状態を示す模式的断面図である。図１０（ｃ）は、第４実施形態のカバー部１１０の閉じた姿勢αを示す模式的断面図である。
【０１０８】
図１０（ａ）、及び図１０（ｃ）に示すように、弾性部１７１が筐体１６０に設けられる点で、第４実施形態が第１実施形態と異なる。
【０１０９】
弾性部１７１は、筐体１６０に回転可能に取り付けられる。弾性部１７１は、第１縁部１６０ａに配置される。弾性部１７１は、カバー部１１０に対向する。
【０１１０】
筐体１６０は、第２接触面１６０ｄを有する。カバー部１１０の姿勢が閉じた姿勢αになると、第２接触面１６０ｄがカバー部１１０に接触する。第２接触面１６０ｄは、弾性部１７１の上端部１７１ｃよりも下方に位置する。
【０１１１】
カバー部１１０は、収容面１１０ｂと、当接面１１０ｃとを有する。収容面１１０ｂは、カバー部１１０の下面１１３に形成される。収容面１１０ｂは、上方向Ｖ２に凹んだ形状を有する。収容面１１０ｂは、回転軸Ｌ１よりも、第１方向Ｄ１の一側に位置する。当接面１１０ｃは、カバー部１１０の下面１１３に形成される。当接面１１０ｃは、収容面１１０ｂよりも、第１方向Ｄ１の一側に位置する。
【０１１２】
図１０（ａ）に示すように、カバー部１１０の姿勢が開いた姿勢βになると、当接面１１０ｃは、弾性部１７１に対向しつつ、カバー部１１０の下端部１１０ｄに位置する。
【０１１３】
図１０（ｂ）に示すように、カバー部１１０の姿勢が開いた姿勢βの状態で、カバー部１１０が筐体１６０に近接すると（下方向Ｖ１に移動すると）、カバー部１１０が筐体１６０に当接するよりも先に、弾性部１７１がカバー部１１０と筐体１６０とで挟まれる。この場合、カバー部１１０が筐体１６０に当接するよりも先に、弾性部１７１が、カバー部１１０の当接面１１０ｃと、筐体１６０とで挟まれる。その結果、介在部材１８０に加わる衝撃を緩和することが可能になる。
【０１１４】
弾性部１７１がカバー部１１０と筐体１６０とで挟まれた状態から、カバー部１１０が閉じる方向Ｐ１に回転すると、カバー部１１０の姿勢が開いた姿勢βから閉じた姿勢αになる。このとき、弾性部１７１が回転して、カバー部１１０の回転を促進する。
【０１１５】
図１０（ｃ）に示すように、カバー部１１０の姿勢が閉じた姿勢αになると、収容面１１０ｂとカバー部１１０との間の空所Ｚ３に、弾性部１７１が収容される。具体的には、カバー部１１０の姿勢が閉じた姿勢αになると、収容面１１０ｂとカバー部１１０との間の空所Ｚ３に、弾性部１７１が弾性変形することなく収容される。その結果、カバー部１１０の姿勢が閉じた姿勢αになる状態を保持することが可能になる。
【０１１６】
［第５実施形態］
図１１を参照して、本発明の第５実施形態を示す画像形成装置２００について説明する。図１１は、画像形成装置２００の模式的断面図である。第５実施形態の画像形成装置２００は、第１実施形態の読取装置１００から第４実施形態の読取装置１００の各々に対し、画像形成機能を追加している。
【０１１７】
図１１に示すように、画像形成装置２００は、読取装置１００と、カセット２０１と、給送ローラー２０２と、搬送ローラー２０３と、画像形成部２０４と、排出ローラー２０５と、第３駆動部２０６と、筐体２１０とを備える。
【０１１８】
カセット２０１は、シートを収容する。給送ローラー２０２は、カセット２０１内のシートを送出する。搬送ローラー２０３は、給送ローラー２０２から搬送されたシートを、画像形成部２０４に向けて送出する。
【０１１９】
画像形成部２０４は、シートに画像を形成する。詳細には、画像形成部２０４は、カセット２０１から供給されたシートに画像を形成する。画像は、具体的には、トナー画像を示す。画像形成部２０４は、感光体ドラムと、帯電部と、露光部と、現像部と、転写部と、クリーニング部と、除電部とを含む。感光体ドラム、帯電部、露光部、現像部、及び転写部によって、シートに画像が形成される。クリーニング部は、感光体ドラムの表面に残留しているトナーを除去する。除電部は、感光体ドラムの表面の残留電荷を除去する。画像形成部２０４は、シートに画像を形成した後、シートを定着部に向けて送出する。定着部は、画像を加熱及び加圧してシートに定着させる。
【０１２０】
排出ローラー２０５は、画像形成部２０４を通過したシートを筐体２１０の外部へ排出する。
【０１２１】
第３駆動部２０６は、給送ローラー２０２と、搬送ローラー２０３と、排出ローラー２０５とを回転させる駆動源である。第３駆動部２０６は、給送ローラー２０２と、搬送ローラー２０３と、排出ローラー２０５とを回転させてシートを搬送する。第３駆動部２０６は、例えば、モーターである。
【０１２２】
筐体２１０は、中空の形状を有する。筐体２１０は、画像読取部１４０と、記憶部１５２と、制御部１５３と、カセット２０１と、給送ローラー２０２と、搬送ローラー２０３と、画像形成部２０４と、排出ローラー２０５と、第３駆動部２０６とを収容する。
【０１２３】
筐体２１０は、第１筐体部２１１と、第２筐体部２１２とを有する。
【０１２４】
第１筐体部２１１は、第１実施形態の筐体１６０として機能する。第１筐体部２１１は、画像読取部１４０を収容する。第１筐体部２１１上には、カバー部１１０が載置可能である。
【０１２５】
第２筐体部２１２は、記憶部１５２と、制御部１５３と、カセット２０１と、給送ローラー２０２と、搬送ローラー２０３と、画像形成部２０４と、排出ローラー２０５と、第３駆動部２０６とを収容する。なお、第１実施形態では、第１筐体部２１１に相当する筐体１６０が、記憶部１５２と、制御部１５３とを収容する。これに対し、第２実施形態では、第２筐体部２１２が、記憶部１５２と、制御部１５３とを収容する。
【０１２６】
第２筐体部２１２上には、第１筐体部２１１が載置される。第２筐体部２１２には、第１筐体部２１１が固定される。
【０１２７】
制御部１５３は、画像形成装置２００の各要素を制御する。制御部１５３は、搬送部１３０（第１駆動部１３２）と、読取部１４３と、第２駆動部１４４と、画像形成部２０４と、第３駆動部２０６とを制御する。
【０１２８】
以上、図１１を参照して説明したように、画像形成装置２００は、第１実施形態の読取装置１００から第４実施形態の読取装置１００の各々として機能する。その結果、カバー部１１０の姿勢が開いた姿勢βの状態で、カバー部１１０が筐体１６０に近接する際、介在部材１８０に加わる衝撃を緩和することが可能になる。
【０１２９】
以上、図面（図１〜図１１）を参照しながら本発明の実施形態について説明した。但し、本発明は、上記の実施形態に限られるものではなく、その要旨を逸脱しない範囲で種々の態様において実施することが可能である（例えば、（１）〜（７））。また、上記の実施形態に開示されている複数の構成要素を適宜組み合わせることによって、種々の発明の形成が可能である。例えば、実施形態に示される全構成要素から幾つかの構成要素を削除してもよい。図面は、理解しやすくするために、それぞれの構成要素を主体に模式的に示しており、図示された各構成要素の個数等は、図面作成の都合から実際とは異なる場合もある。また、上記の実施形態で示す各構成要素は一例であって、特に限定されるものではなく、本発明の効果から実質的に逸脱しない範囲で種々の変更が可能である。
【０１３０】
（１）第５実施形態では、画像形成部２０４はトナー画像をシートに形成する。しかし、本発明はこれに限定されない。画像形成部２０４は、シートに画像を形成する機能を有していればよい。画像形成部２０４は、例えば、インク画像をシートに形成してもよい。つまり、画像形成部２０４は、インクジェット方式のプリンターであってもよい。
【０１３１】
（２）第１実施形態から第４実施形態において、弾性部１７１は回転可能に支持される。しかし、本発明はこれに限定されない。第１実施形態から第３実施形態において、弾性部１７１はカバー部１１０に固定されていてもよい。また、第４実施形態において、弾性部１７１は筐体１６０に固定されていてもよい。その結果、弾性部１７１を設置することが容易になる。しかし、第１実施形態から第４実施形態のように、弾性部１７１を回転可能に支持する方が、カバー部１１０の姿勢を開いた姿勢βから閉じた姿勢αに変更する動作をスムーズに行うことができる点で有利である。
【０１３２】
（３）第１実施形態から第４実施形態において、弾性部１７１が２つ設けられる。しかし、本発明は、これに限定されない。例えば、弾性部１７１が１つ設けられてもよい。また、弾性部１７１が３つ以上設けられていてもよい。
【０１３３】
（４）第１実施形態から第４実施形態において、カバー部１１０の姿勢が閉じた姿勢αになると、弾性部１７１は弾性変形しない。その結果、カバー部１１０の姿勢が閉じた姿勢αが保持される。しかし、本発明は、これに限定されない。第１実施形態から第４実施形態において、カバー部１１０の姿勢が閉じた姿勢αになると、弾性部１７１がカバー部１１０と筐体１６０とで挟まれて、所定の範囲で弾性変形してもよい。所定の範囲は、弾性力だけではカバー部１１０が開かず、カバー部１１０の閉じた姿勢αが保持される程度の弾性力を、弾性部１７１が発生する範囲を示す。つまり、カバー部１１０の姿勢が閉じた姿勢αになると、カバー部１１０が弾性力により開かない範囲で、弾性部１７１の弾性変形が許容される。その結果、カバー部１１０の姿勢が閉じた姿勢αになると、弾性部１７１が弾性変形しても、カバー部１１０の姿勢が閉じた姿勢αに保持される。
【０１３４】
（５）第１実施形態から第３実施形態において、弾性部１７１がカバー部１１０に取り付けられる。また、第４実施形態において、弾性部１７１が筐体１６０に取り付けられる。しかし、本発明は、これに限定されない。弾性部１７１が、カバー部１１０と、筐体１６０との両方に取り付けられていてもよい。この場合、例えば、弾性部１７１を設置するための構成に関し、第１実施形態から第３実施形態のうちのいずれかの構成と、第４実施形態の構成とを組み合わせてもよい。従って、弾性部１７１は、筐体１６０、及び／又は、カバー部１１０に取り付けられればよい。
【０１３５】
（６）第１実施形態から第５実施形態において、読取装置１００のカバー部１１０に読取部が収容されていてもよい。以下、カバー部１１０に収容される読取部を収容読取部と記載する。この場合、収容読取部は、搬送部１３０により搬送されるシートの画像を読み取る。また、この場合、収容読取部によりシートの一面の画像を読み取り、読取部１４３によりシートの他の一面の画像を読み取るように構成してもよい。
【０１３６】
（７）第１実施形態から第５実施形態において、カバー部１１０には搬送部１３０が収容される。しかし、本発明はこれに限定されない。カバー部１１０には搬送部１３０が収容されていなくてもよい。つまり、読取装置１００は、搬送部１３０を備えていなくてもよい。この場合、カバー部１１０は、筐体１６０の載置部１６５に載置されたシートを抑える単なるカバーとして機能し、ＡＤＦとしては機能しない。
【産業上の利用可能性】
【０１３７】
本発明は、読取装置、及び画像形成装置の分野に利用可能である。
【符号の説明】
【０１３８】
１００    読取装置
１１０    カバー部
１１１    回転縁部
１１２    支点縁部
１１３ａ  第１接触面（接触面）
１４３    読取部
１６０    筐体
１７１    弾性部
１７１ｂ  弾性部の下端部
１８０    介在部材
２００    画像形成装置
２０４    画像形成部
α        閉じた姿勢
β        開いた姿勢
【図１】
2019097102.tif 000003
【図２】
2019097102.tif 000004
【図３】
2019097102.tif 000005
【図４】
2019097102.tif 000006
【図５】
2019097102.tif 000007
【図６】
2019097102.tif 000008
【図７】
2019097102.tif 000009
【図８】
2019097102.tif 000010
【図９】
2019097102.tif 000011
【図１０】
2019097102.tif 000012
【図１１】
2019097102.tif 000013